(57)【要約】【課題】収差補正用の液晶素子を備える対物レンズ駆動装置において、対物レンズの光軸と液晶素子の中心軸との位置合わせを正確に行うことができる対物レンズ駆動装置を提供する。【解決手段】対物レンズ駆動装置の可動ホルダ１３には開口穴２２が設けられており、この開口穴２２の上部には対物レンズ７を保持する対物レンズ保持部１３ｃが設けられ、下部には液晶素子６を保持する液晶素子保持部１３ｄが設けられている。可動ホルダ１３には、更に、その側面１３ｅから、対物レンズ７の光軸７ａと略垂直方向に延びて液晶素子保持部１３ｃに保持される液晶素子６の側面６ｂへと繋がる空洞２３が形成されており、この空洞２３から接着剤を注入することできるようになっている。【選択図】図５
2007213652.tif 000002
【特許請求の範囲】
【請求項１】
光源と、
該光源から出射された光束を光記録媒体の記録面に集束する対物レンズと、
前記光源と前記対物レンズとの間に前記対物レンズに対向するように配置されて収差の補正を行う液晶素子と、
開口穴と、該開口穴の一端に設けられて前記対物レンズを保持する対物レンズ保持部と、前記開口穴の他端に設けられて前記液晶素子を保持する液晶素子保持部と、を有する可動ホルダを有して前記対物レンズと前記液晶素子とを移動可能とする対物レンズ駆動装置と、
を備える光ピックアップ装置において、
前記可動ホルダの側面には、前記対物レンズの光軸と略垂直な方向に延びて前記液晶素子の側面へと繋がる空洞であって、前記液晶素子を前記可動ホルダに固定するための接着剤を注入する注入孔が設けられることを特徴とする光ピックアップ装置。
【請求項２】
光源から出射された光束を光記録媒体の記録面に集束する対物レンズと、
前記光源と前記対物レンズとの間に前記対物レンズに対向するように配置されて収差の補正を行う液晶素子と、
開口穴と、該開口穴の一端に設けられて前記対物レンズを保持する対物レンズ保持部と、前記開口穴の他端に設けられて前記液晶素子を保持する液晶素子保持部と、を有する可動ホルダと、を備え、
前記対物レンズと前記液晶素子とを移動可能とする対物レンズ駆動装置において、
前記可動ホルダには、前記液晶素子を前記可動ホルダに固定するための接着剤を注入する注入孔が設けられることを特徴とする対物レンズ駆動装置。
【請求項３】
前記注入孔は、前記可動ホルダの側面に設けられることを特徴とする請求項２に記載の対物レンズ駆動装置。
【請求項４】
前記注入孔は、前記可動ホルダの側面から前記対物レンズの光軸と略垂直な方向に延びて、前記液晶素子の側面へと繋がる空洞であることを特徴とする請求項３に記載の対物レンズ駆動装置。
【請求項５】
請求項２から請求項４のうちのいずれか１項に記載の対物レンズ駆動装置を備えることを特徴とする光ピックアップ装置。
【発明の詳細な説明】
【技術分野】
【０００１】
本発明は、光記録媒体に光ビームを照射して情報の記録や情報の読み取りを可能とする光ピックアップ装置に搭載される対物レンズ駆動装置に関し、特に対物レンズとともに収差補正用の液晶素子も移動させるタイプの対物レンズ駆動装置の構造に関する。また、本発明は、構造に工夫が施された対物レンズ駆動装置を備える光ピックアップ装置に関する。
【背景技術】
【０００２】
近年、コンパクトディスク（以下、ＣＤという。）やデジタル多用途ディスク（以下、ＤＶＤという。）といった光記録媒体が普及し、一般的に用いられている。そして、光記録媒体の情報量を増やすために、光記録媒体の高密度化及びそれに対応する光ピックアップ装置の開発が進められ、例えば、ブルーレイディスク（以下、ＢＤという。）のような高密度化された光記録媒体が実用化されてきている。
【０００３】
ＢＤのような高密度化された光記録媒体について、光ピックアップ装置を用いて情報の記録や情報の読み取りを行う場合、光ピックアップ装置に備えられる光源の波長を短くし（ＢＤでは、例えば４０５ｎｍ）、更に対物レンズの開口数（ＮＡ）を大きくして、光源から出射される光ビームが光記録媒体上に形成する光ビームのスポットサイズを小さくする必要がある。
【０００４】
ところで、このように短波長の光ビームを用い、対物レンズの開口数を大きくすると、光記録媒体の記録層上に設けられる保護層の厚さ（ＢＤでは、例えば０．１ｍｍ）の誤差の影響を受け易くなり、光源から出射された光ビームは大きな球面収差を発生し易くなる。その結果、光ピックアップ装置による情報の記録や読み取りの精度が低下するといった問題が生じる。
【０００５】
このような、収差の補正を行うために、光ピックアップ装置の光学系に液晶素子を配置し、液晶の配向状態を印加電圧の可変制御により調整することが一般的に行われている。液晶素子を備えるタイプの光ピックアップ装置においては、例えば、サーボ制御のために対物レンズがトラッキング方向に移動すると、液晶素子の中心軸と対物レンズの光軸とが大きくずれ、液晶素子に電圧を印加した際に上述の球面収差とは異なるコマ収差が発生するといった問題が生じる。このため、光ピックアップ装置が備える対物レンズ駆動装置の可動部に対物レンズと液晶素子が搭載され、両方を同時に動かすのが一般的である。
【０００６】
しかし、この場合においても、液晶素子の中心軸と対物レンズの光軸とが組み立て時の調整等が不十分でずれているとコマ収差が発生するために、液晶素子と対物レンズの位置関係を正確に調整して組み立てる必要がある。対物レンズと液晶素子との位置関係を高精度に合わせることを可能とする技術として、例えば特許文献１には、収差補正素子である液晶素子の一方の電極層に複数の位置合わせ用の位置マーカを含むように構成した液晶素子が提案されている。
【０００７】
また、特許文献２においても、液晶素子と対物レンズとの両方に位置決め用のマーカを設けた光ピックアップの対物レンズ駆動アクチュエータが提案されている。これらによると、球面収差低減用液晶素子の中心軸と対物レンズの光軸とを正確に合わせることができ、その結果、光ディスクの記録面に照射する光スポットの品質が良好に安定化し、高密度の光ディスク装置の記録再生を安定して行うことが可能とされている。
【０００８】
しかしながら、特許文献１や特許文献２のような構成の場合、液晶素子の中心軸や対物レンズの光軸に対する位置マーカの加工精度のばらつきにより、液晶素子の中心軸と対物レンズの光軸との位置合わせが正確にできないといった問題が生じていた。また、位置マーカを用いて液晶素子と対物レンズの位置合わせを行う場合、ＣＣＤ（固体撮像素子）カメラを観察しながら位置合わせが行われるが、複数の位置マーカを同時に見ながら位置合わせを行う必要があるために、ＣＣＤカメラの倍率を高倍率とすることができず、正確な位置合わせを十分にできないという問題もあった。
【０００９】
また、情報の読み取り等の品質を向上するために、透明度の高い透明電極が用いられた場合、ＣＣＤカメラを通じて液晶素子が見え難く、液晶素子を可動ホルダに取り付ける作業が困難となるといった問題もあった。更には、接着剤を用いて液晶素子を固定する場合、接着剤が収縮して、液晶素子が接着前の状態からずれるといった問題も生じていた。
【特許文献１】特開２００２−２３７０７７号公報
【特許文献２】特開２００５−７１４５７号公報
【発明の開示】
【発明が解決しようとする課題】
【００１０】
以上の点を鑑みて、本発明は、収差補正用の液晶素子を備える対物レンズ駆動装置において、対物レンズの光軸と液晶素子の中心軸との位置合わせを正確に行うことができる対物レンズ駆動装置を提供することを目的とする。また、本発明は、対物レンズの光軸と液晶素子の中心軸とを正確に合わせることができる対物レンズ駆動装置を備えることにより、情報の記録や読み取りの品質について高い信頼性を得ることが可能な光ピックアップ装置を提供することを目的とする。
【課題を解決するための手段】
【００１１】
上記目的を達成するために本発明は、光源と、該光源から出射された光束を光記録媒体の記録面に集束する対物レンズと、前記光源と前記対物レンズとの間に前記対物レンズに対向するように配置されて収差の補正を行う液晶素子と、開口穴と、該開口穴の一端に設けられて前記対物レンズを保持する対物レンズ保持部と、前記開口穴の他端に設けられて前記液晶素子を保持する液晶素子保持部と、を有する可動ホルダを有して前記対物レンズと前記液晶素子とを移動可能とする対物レンズ駆動装置と、を備える光ピックアップ装置において、前記可動ホルダの側面には、前記対物レンズの光軸と略垂直な方向に延びて前記液晶素子の側面へと繋がる空洞であって、前記液晶素子を前記可動ホルダに固定するための接着剤を注入する注入孔が設けられることを特徴としている。
【００１２】
上記目的を達成するために本発明は、光源から出射された光束を光記録媒体の記録面に集束する対物レンズと、前記光源と前記対物レンズとの間に前記対物レンズに対向するように配置されて収差の補正を行う液晶素子と、開口穴と、該開口穴の一端に設けられて前記対物レンズを保持する対物レンズ保持部と、前記開口穴の他端に設けられて前記液晶素子を保持する液晶素子保持部と、を有する可動ホルダと、を備え、前記対物レンズと前記液晶素子とを移動可能とする対物レンズ駆動装置において、前記可動ホルダには、前記液晶素子を前記可動ホルダに固定するための接着剤を注入する注入孔が設けられることを特徴としている。
【００１３】
また、本発明は、上記構成の対物レンズ駆動装置において、前記注入孔は、前記可動ホルダの側面に設けられることを特徴としている。
【００１４】
また、本発明は、上記構成の対物レンズ駆動装置において、前記注入孔は、前記可動ホルダの側面から前記対物レンズの光軸と略垂直な方向に延びて、前記液晶素子の側面へと繋がる空洞であることを特徴としている。
【００１５】
また、本発明は、上記構成の対物レンズ駆動装置を備える光ピックアップ装置であることを特徴としている。
【発明の効果】
【００１６】
本発明の第１の構成によれば、可動ホルダに液晶素子を固定するための接着剤を注入する注入孔が設けられているために、対物レンズの光軸と液晶素子の中心軸とを位置合わせする際に、対物レンズと液晶素子とに光ビーム照射し、液晶素子を動かしながらコマ収差が最小となる位置を探し、最適な位置を見つけた時点で注入孔から接着剤を注入して液晶素子を固定するといった調整が可能となる。このため、液晶素子、更には、液晶素子に記された位置決め用のマーカを見ながら対物レンズの光軸と液晶素子の中心軸との位置合わせを行う必要がなくなり、位置合わせを容易かつ正確に行うことができる。
【００１７】
また、上述のように位置合わせをコマ収差が最小となる位置を測定しながら行うことが可能となるために、接着剤の硬化が進行している間にもコマ収差を測定し、接着剤が完全に硬化する前に、液晶素子の位置を微調整するといったことも可能となり、接着剤の収縮が原因となる位置ずれを緩和できる。更に、注入孔が設けられる位置は、可動ホルダの側面であって、対物レンズの光軸と略垂直な方向に延びる空洞であるために、注入孔の形成が容易で、液晶素子の固定がし易く構成されている。従って、対物レンズの光軸と収差補正用に配置された液晶素子の中心軸との位置合わせが正確にできるために、光ピックアップによる情報の記録や読み取りが正確に行え、本発明の係る光ピックアップ装置は高い信頼性を得ることが可能となる。
【００１８】
また、本発明の第２の構成によれば、可動ホルダに液晶素子を固定するための接着剤を注入する注入孔が設けられているために、対物レンズの光軸と液晶素子の中心軸とを位置合わせする際に、対物レンズと液晶素子とに光ビーム照射し、液晶素子を動かしながらコマ収差が最小となる位置を探し、最適な位置を見つけた時点で注入孔から接着剤を注入して液晶素子を固定するといった調整が可能となる。このため、液晶素子、更には、液晶素子に記された位置決め用のマーカを見ながら対物レンズの光軸と液晶素子の中心軸との位置合わせを行う必要がなくなり、位置合わせを容易かつ正確に行うことができる。また、上述のように位置合わせをコマ収差が最小となる位置を測定しながら行うことが可能となるために、接着剤の硬化が進行している間にもコマ収差を測定し、接着剤が完全に硬化する前に、液晶素子の位置を微調整するといったことも可能ととなり、接着剤の収縮が原因となる位置ずれを緩和できる。
【００１９】
また、本発明の第３の構成によれば、上記第２の構成の対物レンズ駆動装置において、注入孔が可動ホルダの側面に設けられているために、液晶素子の固定がし易い位置に注入孔を設けることが可能となる。
【００２０】
また、本発明の第４の構成によれば、上記第３の構成の対物レンズ駆動装置において、注入孔の形成が容易となり、また、注入孔に紫外線を照射することで、液晶素子を可動ホルダに固定する紫外線硬化式の接着剤を硬化させることができ、液晶素子を正確な位置に固定する作業が行い易くなる。
【００２１】
また、本発明の第５の構成によれば、上記第２から第４のいずれかの構成の対物レンズ駆動装置を備える光ピックアップ装置において、対物レンズの光軸と収差補正用に配置された液晶素子の中心軸との位置合わせが正確にできるために、光ピックアップによる情報の記録や読み取り性能を高い水準に保て、装置の信頼性を高めることが可能となる。
【発明を実施するための最良の形態】
【００２２】
以下に本発明の実施形態を、図面を参照しながら説明する。なお、ここで示す実施形態は一例であり、本発明はここに示す実施形態に限定されるものではない。
【００２３】
図１は、本発明の対物レンズ駆動装置を備える光ピックアップ装置の光学系を示す概略図である。図１において、１は光ピックアップ装置で、例えば、ＣＤやＤＶＤ等の光記録媒体１０に対して、光ビームを照射して反射光を受光することにより光記録媒体１０の記録面１０ａに記録されている情報を読み取ったり、光記録媒体１０に光ビームを照射して記録面１０ａに情報を書き込んだりすることを可能とする装置である。この光ピックアップ装置１の光学系は、例えば、光源２と、コリメートレンズ３と、ビームスプリッタ４と、立ち上げミラー５と、液晶素子６と、対物レンズ７と、集光レンズ８と、光検出器９と、を備えている。以下に、各光学素子の詳細を説明する。
【００２４】
光源２は、半導体レーザで構成されており、光ピックアップ装置１が例えば、ＢＤ用の光ピックアップ装置である場合には、光源２は、例えば４０５ｎｍ帯のレーザビームを出射する。また、光ピックアップ装置１がＣＤ用又はＤＶＤ用のものであれば、例えば、光源２はそれぞれ７８０ｎｍ帯、６５０ｎｍ帯のレーザビームを出射する。なお、本実施形態においては、光源２は単一の波長のレーザビームを出射する構成としているが、これに限定される趣旨ではなく、例えば、光源２を２波長１パッケージの光源として、例えばＢＤとＤＶＤの情報の記録や読み取りが可能な光ピックアップ装置としても構わないし、また、更にＣＤ用の光源を加えて、ＣＤ、ＤＶＤ、及びＢＤの情報の記録や読み取りが可能な光ピックアップ装置等としても構わない。
【００２５】
コリメートレンズ３は、光源２より出射されたレーザビームを平行光に変換するレンズである。ここで、平行光とは、光源２から出射されたレーザビームの全ての光路が光軸とほぼ平行である光をいう。コリメートレンズ３を透過した平行光は、ビームスプリッタ４に送られる。
【００２６】
ビームスプリッタ４は、レーザビームを分離する分離素子として機能し、コリメートレンズ３を透過してきたレーザビームを透過して光記録媒体１０へと導くとともに、光記録媒体１０で反射されたレーザビームを更に反射して光検出器９へと導く。ビームスプリッタ４を透過したレーザビームは、立ち上げミラー５に送られる。
【００２７】
立ち上げミラー５は、例えば、光源２から出射されるレーザビームの光軸と４５°傾けられており、ビームスプリッタ４を透過してきたレーザビームを反射して液晶素子６へと導く。
【００２８】
液晶素子６は、液晶と液晶を挟持する透明電極（いずれも図示せず）を有しており、透明電極のうちの一方は、共通電極を構成し、他方は同心円状に分割された複数の電極を構成している。そして、分割された電極毎に、それぞれ印加する電圧を制御可能とすることで、液晶の配向状態を調整し、液晶素子を通るレーザビームの位相の制御が可能となっている。このため、光記録媒体１０の記録面１０ａを保護する保護層の厚みの誤差等によって生じる球面収差の補正が可能となっている。液晶素子６を透過したレーザビームは対物レンズ７へと送られる。なお、液晶素子６の構成は本実施形態の構成に限られる趣旨では、本発明の目的を逸脱しない範囲で変更可能である。
【００２９】
対物レンズ７は、液晶素子６を透過したレーザビームを光記録媒体１０の記録面１０ａ上に集光させる。対物レンズ７の開口数（ＮＡ）は、光ピックアップ装置１がＢＤ用の場合は、例えばＮＡ＝０．８５とされる。また、光ピックアップ装置１が、例えば、ＣＤ用、ＤＶＤ用の場合には、それぞれ、ＮＡ＝０．５、ＮＡ＝０．６５とされる。なお、液晶素子６と対物レンズ７は、後述する対物レンズ駆動装置に搭載されており、所定の方向に移動できるように構成されている。
【００３０】
光記録媒体１０で反射されたレーザビームは、対物レンズ７、液晶素子６を透過し、立ち上げミラー５で反射され、更に、ビームスプリッタ４で反射されて、集光レンズ８で集光されて光検出器９の受光部（図示せず）に到達する。
【００３１】
光検出器９は、受光した光情報を電気信号に変換して、例えば、図示しないＲＦアンプ等に出力する。そして、この電気信号は、記録面１０ａに記録されているデータの再生信号として、更には、フォーカス制御やトラッキング制御を行うためのサーボ信号として用いられる。また、ここで得られた電気信号は、収差の補正を行うための信号として用いられ、この信号により液晶素子７が有する透明電極に印加される印加電圧が制御される。
【００３２】
次に、本実施形態の光ピックアップ装置１が備える対物レンズ駆動装置１１の詳細について、図２から図４を参照しながら説明する。ここで、図２は、本実施形態の対物レンズ駆動装置１１の構成を示す概略上面図、図３は、本実施形態の対物レンズ駆動装置１１の構成を示す概略側面図、図４は、図３のＡ−Ａ及びＢ−Ｂ断面図である。
【００３３】
対物レンズ駆動装置１１は、大きくは、強磁性を有する金属性のベース部材１２と、樹脂成型品の可動ホルダ１３と、より構成される。ベース部材１２のほぼ中央には、光源２(図１参照)からのレーザビームを通過させる貫通穴（図示せず）が形成され、詳細は後述する可動ホルダ１３が配置される。また、ベース部材１２上には、可動ホルダ１３を挟むように所定間隔をあけて相互に対向する一対の永久磁石１４ａ、１４ｂが立設されている。これらの各永久磁石１４ａ、１４ｂは、それぞれの外面がベース部材１２から折曲形成された突片１２ａ、１２ｂに磁着されることで、ベース部材１２と磁性的に一体化された状態で固定される。
【００３４】
更にベース部材１２には、永久磁石１４ａ、１４ｂの間に、これらの永久磁石１４ａ、１４ｂの対向方向とほぼ直角な方向で対向する一対のヨーク１５ａ、１５ｂが立設されている。これらの各ヨーク１５ａ、１５ｂは、ベース部材１２から折曲形成されて成る。ここで、各ヨーク１５ａ、１５ｂは、各永久磁石１４ａ、１４ｂから磁束を有効に引き込んで、主として、両者の間に配置される後述のフォーカス用コイル１６、トラッキング用コイル１７ａ、１７ｂ、及びチルト用コイル２７ａ、２７ｂに高密度の磁束を与え、これにより、可動ホルダ１３の駆動効率を高める役割を担う。
【００３５】
可動ホルダ１３は、その上部の中央部に形成される対物レンズ保持部に対物レンズ７、その下部の中央部に形成される液晶素子保持部（いずれも後述する）に液晶素子６（図１参照）を備え、この対物レンズ７及び液晶素子６を挟んで左右にヨーク１５ａ、１５ｂが貫通している。この可動ホルダ１３の側壁の内側には、対物レンズ７の光軸を取り巻くようにフォーカス用コイル１６が設けられ、可動ホルダ１３に対して接着剤等で固着されている。また、可動ホルダ１３の側壁のうちの各永久磁石１４ａ、１４ｂと対向する両側壁の外側には、それぞれトラッキング用コイル１７ａ、１７ｂが接着剤等で固着されている。これらの各トラッキング用コイル１７ａ、１７ｂは、それぞれヨーク１５ａ、１５ｂと対向するように左右に一対ずつ形成され、全体として１本の線で繋がっている。また、フォーカス用コイル１６の下には、各ヨーク１５ａ、１５ｂを取り巻くようにチルト用コイル２７ａ、２７ｂが接着剤等で固着されている。各チルト用コイル２７ａ、２７ｂも、全体として１本の線で繋がっている。
【００３６】
また、ベース部材１２上には、一方の永久磁石１４ｂが磁着された突片１２ｂの外面側に、ポリカーボネート等の樹脂成型品のゲルホルダ１８が固定され、更にそのゲルホルダ１８の外側に隣接して回路基板１９が立設されている。この回路基板１９には、左右両側において、それぞれ上下方向で３箇所ずつ、導電性を有するワイヤ２０ａ、２０ｂ、２０ｃ、２０ｄ、２０ｅ、２０ｆの各一端がハンダ付けにて接続されている。これらの６本の各ワイヤ２０ａ、２０ｂ、２０ｃ、２０ｄ、２０ｅ、２０ｆは、回路基板１９への接続箇所に対応した位置、すなわち左右両側においてそれぞれ上下方向に３箇所ずつゲルホルダ１８に形成された各貫通孔２１ａ、２１ｂ、２１ｃ、２１ｄ、２１ｅ、２１ｆを挿通している。
【００３７】
更に、各ワイヤ２０ａ〜２０ｆは、可動ホルダ１３の左右両側から突出する突条１３ａ、１３ｂに接着剤等で接合され、これにより、可動ホルダ１３は、各ワイヤ２０ａ〜２０ｆによってベース部材１２に対して揺動可能に支持される。そして、上段の各ワイヤ２０ａ、２０ｄの他端は、フォーカス用コイル１６にハンダ付けにて接続され、中段のワイヤ２０ｂ、２０ｅの他端は、トラッキング用コイル１７ａ、１７ｂにハンダ付けにて接続され、下段のワイヤ２０ｃ、２０ｆの他端は、チルト用コイル２７ａ、２７ｂにハンダ付けにて接続されている。
【００３８】
また、各ワイヤ２０ａ〜２０ｆが挿通されたゲルホルダ１８の各貫通孔２１ａ〜２１ｆ内には、シリコンを主成分とするゲル材が充填されている。ここでゲル材は、低粘度のゲル材（ゾル）がゲルホルダ１８の各貫通孔２１ａ〜２１ｆに注入された後、所定時間の紫外線照射によってゲル状に硬化したものである。
【００３９】
このように構成される対物レンズ駆動装置１１において、回路基板１９から各ワイヤ２０ａ〜２０ｆを通じてフォーカス用コイル１６やトラッキング用コイル１７ａ、１７ｂやチルト用コイル２７ａ、２７ｂに電流が供給されると、これらのコイル１６、１７ａ、１７ｂ、２７ａ、２７ｂと各永久磁石１４ａ、１４ｂとの間で電磁気的な作用が発生し、可動ホルダ１３が駆動し、対物レンズ７のフォーカス調整やトラッキング調整やチルト調整が可能となる。なお、可動ホルダ１３の駆動に応じて各ワイヤ２０ａ〜２０ｆに生じた振動は、ゲルホルダ１８における各貫通孔２１ａ〜２１ｆ内のゲル材によって減衰し、抑制される。また、上述のように可動ホルダ１３には、対物レンズ７と液晶素子６が取り付けられているため、対物レンズ７が移動すると液晶素子６も同時に移動する。
【００４０】
次に、対物レンズ駆動装置１１の可動ホルダ１３に設けられる開口穴２２付近の構成について、図５を用いて更に詳細に説明する。図５は、図２のＣ−Ｃ断面図である。なお、図５においては、フォーカス用コイル１６（図４参照）については、便宜上、省略している。
【００４１】
可動ホルダ１３の中央側には、開口穴２２が設けられており、この開口穴２２の上部側には対物レンズ７を保持する対物レンズ保持部１３ｃが設けられ、下部側には液晶２４を透明電極２５ａ、２５ｂで挟んで構成される液晶素子６を保持する液晶素子保持部１３ｄが設けられている。そして、対物レンズ保持部１３ｃと液晶素子保持部１３ｄとにそれぞれ保持される対物レンズ７と液晶素子６とは、対物レンズ７の光軸７ａと液晶素子６の中心軸６ａが一致するように配置されている。
【００４２】
対物レンズ７の光軸７ａと液晶素子６の中心軸６ａが一致していない場合には、前述したように、コマ収差が発生してジッタの増大等の問題を引き起こす。このため、対物レンズ７と液晶素子６をそれぞれ対物レンズ保持部１３ｃ、液晶素子保持部１３ｄに配置する際には、この位置合わせを正確に行うことが非常に重要となる。
【００４３】
この位置合わせを正確に行うことができるように、本実施形態の対物レンズ駆動装置１１の可動ホルダ１３には、図５に示すように、可動ホルダ１３ｅの側面から、対物レンズ７の光軸７ａと略垂直方向に延びて液晶素子６の側面６ｂへと繋がる空洞２３が、２箇所に形成されており、この空洞２３から接着剤を注入することできるようになっている。以下では、この空洞２３を注入孔２３という。
【００４４】
なお、注入孔２３の孔の形状については特に限定はなく、断面円形であっても構わないし、スリット状（断面矩形）等であっても構わない。また、注入孔２３の数についても、液晶素子６を注入孔２３からの接着剤の注入で固定するという目的を達成できれば良く、特に限定されるものではない。ただし、注入孔２３の数を１つとするよりも、複数とした方が液晶素子６の固定を確実なものとできるため、注入孔２３は複数とするのが好ましい。
【００４５】
次に、この接着剤を注入する注入孔２３を用いて、対物レンズ駆動装置１２に配置される対物レンズ７の光軸７ａと液晶素子６の中心軸６ａが一致するように調整する場合の具体的な手順について、図５と、図６に示す対物レンズ７と液晶素子６との軸合わせの調整フローと、を参照しながら説明する。
【００４６】
まず、対物レンズ７が、可動ホルダ１３の上部に設けられる対物レンズ保持部１３ｃに、その光軸７ａが鉛直方向を向くように配置されて、紫外線硬化式の接着剤等を用いて接着固定される（ステップＳ１）。次に、対物レンズ７が固定された可動ホルダ１３全体が、対物レンズ７のコバ面２６を当たり面として治具（図示せず）に取り付けられ、可動ホルダ１３の開口穴２２の下部側から基準光源（図示せず）のレーザビームを入射後、スポット調整機或いは干渉計（いずれも図示せず）を用いて、対物レンズ７を透過するレーザビームのコマ収差を測定し、測定されるコマ収差の値が最小値（ほぼ０）となるように、可動ホルダ１３を取り付けた治具の傾きを調整する（ステップＳ２）。
【００４７】
なお、本実施形態においては、基準光源は対物レンズ７と液晶素子６との軸合わせ専用に別途設け、基準光源から出射されるレーザビームをコリメートレンズで平行光にした後に、対物レンズ７に入射するようにしている。ただし、コリメートレンズを用いずに、例えば発散光を対物レンズに入射して、対物レンズ７と液晶素子６との軸合わせを行う構成等にしても構わない。
【００４８】
対物レンズ７のコマ収差の調整が行われると、次に、液晶素子６が、可動ホルダ１３の下部に設けられる液晶素子保持部１３ｄに、基準光源から出射されるレーザビームが液晶素子６に対して垂直方向から入射するように配置された後、治具（図示せず）を用いて仮固定される（ステップＳ３）。
【００４９】
この後、基準光源から出射されて液晶素子６、対物レンズ７の順に透過するレーザビームのコマ収差をスポット調整機又は干渉計で測定し、対物レンズ７の光軸７ａと液晶素子６の中心軸６ａが一致し、コマ収差が最小（ほぼ０）となるように、液晶素子６を図５における紙面方向（Ｘ方向）や左右方向（Ｙ方向）に動かす（ステップＳ４）。なお、液晶素子６を固定する治具は、例えば、ＸＹステージに取り付けられており、治具はＸ方向及びＹ方向に移動可能とされている。
【００５０】
ステップＳ４においてコマ収差が最小となると、可動ホルダ１３に設けられる注入孔２３より、例えば、紫外線硬化式の接着剤が注入され、注入孔２３より紫外線を照射することで接着剤が硬化して、液晶素子６が、その中心軸６ａが対物レンズ７の光軸７ａと一致した状態で固定される（ステップＳ５）。
【００５１】
以上のように、可動ホルダ１３に、外部から容易に接着剤を注入できる注入孔２３を設けたことにより、従来ように液晶素子６をＣＣＤカメラ等で見ながらその位置合わせを行って接着する必要がなくなり、対物レンズ駆動装置１１内に配置する対物レンズ７と液晶素子６との間の位置調整を容易かつ正確に行える。また、紫外線硬化式の接着剤を用いて液晶素子６を固定する場合には、紫外線を照射してから接着剤が完全に硬化するまでに時間を要するために、紫外線を照射中もコマ収差を測定しておくことにより、コマ収差の測定値の変化量に応じて液晶素子６の位置を微調整することにより、接着剤の収縮による軸ずれを緩和することも可能となる。
【００５２】
以上の実施形態においては、可動ホルダ１３に設ける注入孔２３を可動ホルダ１３の側面から対物レンズ７の光軸７ａと略垂直に伸びる形状としているが、必ずしもこの形態に限定される趣旨ではなく、本発明の目的を逸脱しない範囲で変更可能である。すなわち、例えば、注入孔２３の形態をＬ字状に構成し、液晶素子６の上面側に接着剤を注入して固定するようにしても構わないし、また、可動ホルダ１３の上面から液晶素子６へと繋がる
注入孔を設ける構成等としても構わない。
【００５３】
その他、本実施形態の対物レンズ駆動装置１１は、対物レンズ７及び液晶素子６を備えた可動ホルダ１３が、複数本のワイヤ（金属線）によってベース部材１２に対して揺動可能に支持された、いわゆるワイヤ支持方式のアクチュエータとしているが、これに限定される趣旨ではなく、例えば、軸摺動型の二軸アクチュエータ等であっても、本発明はもちろん適用可能である。
【産業上の利用可能性】
【００５４】
本発明は、光源から出射された光束を光記録媒体の記録面に集束する対物レンズと、光源と対物レンズとの間に対物レンズに対向するように配置されて収差の補正を行う液晶素子と、開口穴と、開口穴の一端に設けられて対物レンズを保持する対物レンズ保持部と、開口穴の他端に設けられて液晶素子を保持する液晶素子保持部と、を有する可動ホルダと、を備え、対物レンズと液晶素子とを移動可能とする対物レンズ駆動装置において、可動ホルダには、液晶素子を可動ホルダに固定するための接着剤を注入する注入孔が設けられることとする。
【００５５】
このため、対物レンズの光軸と液晶素子の中心軸とを位置合わせする際に、対物レンズと液晶素子とに光ビーム照射し、液晶素子を動かしながらコマ収差が最小となる位置を探し、最適な位置を見つけた時点で液晶素子を固定するといった調整が可能となる。すなわち、液晶素子を対物レンズに対して位置合わせする際に、液晶素子、更には、液晶素子に記された位置決め用のマーカを見ながら対物レンズの光軸と液晶素子の中心軸との位置合わせを行う必要がなくなり、位置合わせを容易かつ正確に行うことができる。
【００５６】
また、注入孔を可動ホルダの側面に設けることにより、液晶素子の固定がし易い位置に注入孔を設けることが可能となる。
【００５７】
また、注入孔を可動ホルダの側面から対物レンズの光軸と略垂直な方向に延びて液晶素子の側面へと繋がる空洞とすることで、紫外線硬化式の接着剤を用いて液晶素子の固定が容易にでき、対物レンズに対する液晶素子の位置合わせを更に正確に行える。
【００５８】
また、上記の対物レンズ駆動装置を備える光ピックアップ装置は、対物レンズの光軸と収差補正用に配置された液晶素子の中心軸との位置合わせが正確にできるために、光ピックアップによる情報の記録や読み取り性能を高い水準のものとできる。
【図面の簡単な説明】
【００５９】
【図１】は、本実施形態における光ピックアップ装置の光学系の構成を示す概略図である。
【図２】は、本実施形態の光ピックアップ装置が備える対物レンズ駆動装置の構成を示す概略上面図である。
【図３】は、本実施形態の光ピックアップ装置が備える対物レンズ駆動装置の構成を示す概略側面図である。
【図４】は、図３のＡ−Ａ及びＢ−Ｂ断面図である。
【図５】は、図２のＣ−Ｃ断面図で、可動ホルダの開口穴周りの構成を示す図である。
【図６】は、本実施形態における対物レンズ駆動装置の対物レンズと液晶素子との軸合わせの調整フローを示す図である。
【符号の説明】
【００６０】
１            光ピックアップ装置
２            光源
６            液晶素子
６ｂ          液晶素子の側面
７            対物レンズ
７ａ          対物レンズの光軸
１０          光記録媒体
１０ａ        記録面
１１          対物レンズ駆動装置
１３          可動ホルダ
１３ｃ        対物レンズ保持部
１３ｄ        液晶素子保持部
１３ｅ        可動ホルダの側面
２２          開口穴
２３          注入孔（空洞）
【図１】
2007213652.tif 000003
【図２】
2007213652.tif 000004
【図３】
2007213652.tif 000005
【図４】
2007213652.tif 000006
【図５】
2007213652.tif 000007
【図６】
2007213652.tif 000008